(57)【要約】【課題】チップ先端に設けられたインク溶剤の蒸発を防止する保護被膜が、筆記することで取り外されるボールペンを提供する。【解決手段】チップ先端にインク溶剤の蒸発を防止する保護被膜９を備えたボールペンにおいて、筆記動作が、筆記角度６０度、筆記速度４．５ｍ／分、ペン体重量を含めた筆記荷重が１００ｇｆであって、その筆記距離が５００ｃｍ以下で、前記保護被膜９が前記筆記動作によってチップ先端から離脱し、筆記可能な状態となることを特徴としている。【選択図】　　　図２
2004066562.tif 000002
【特許請求の範囲】
【請求項１】
チップ先端にインク溶剤の蒸発を防止する保護被膜を備えたボールペンにおいて、
筆記動作が、筆記角度６０度、筆記速度４．５ｍ／分、ペン体重量を含めた筆記荷重が１００ｇｆであって、その筆記距離が５００ｃｍ以下で、前記保護被膜が前記筆記動作によってチップ先端から離脱し、筆記可能な状態となることを特徴するボールペン。
【請求項２】
前記チップ先端に設けられた前記保護被膜の付着量が、０．００１ｇ以下であることを特徴とする請求項１に記載されたボールペン。
【請求項３】
前記保護被膜が、ワックスによって形成されていることを特徴とする請求項１または請求項２に記載されたボールペン。
【請求項４】
前記保護被膜が、パラフィンワックスによって形成されていることを特徴とする請求項３に記載されたボールペン。
【発明の詳細な説明】
【０００１】
【発明の属する技術分野】
本発明はボールペンに関し、ボールペンのチップ先端にインク溶剤の蒸発を防止する保護被膜を備えたボールペンに関する。
【０００２】
【従来の技術】
従来から、ジェルインキボールペンと呼ばれる剪断減粘性を有する水性インキを充填してなるボールペンが知られている。このボールペンはインキが水性であり、インキ粘度が従来の水性インキと比べて非常に高いため、ドライアップし易いという問題があった。
この問題を解決したボールペンとして、チップ内部にスプリングを入れてチップに弁機能を持たせ、先端からの溶剤（水）の蒸発を抑制したジェルインキボールペンが一般に販売されるようになった。
しかし、前記ボールペンであっても、チップ先端部からの溶剤（水）の蒸発を完全に抑制できないことから、ユーザが使用するまでの商品の品質を保証するために、チップ先端にインク溶剤の蒸発を防止する保護被膜が取り付けられている。
【０００３】
この保護被膜は、一般的にその外形が小さく、かつ視認性が低い。そのため、ユーザは保護被膜を取り外さずに筆記を試みる（試し書きする）ことがあり、この場合前記保護被膜によって筆記できないため、ユーザはボールペン自体を不良品として認識してしまうことがあった。
【０００４】
かかるユーザの誤った認識を防止する対策として、例えば実用新案登録第３０７６０１９号公報において、保護被膜の視認性を高めたボールペンが提案されている。このボールペンにあっては保護（樹脂）被膜を有色とすることにより、試し書きの際に、ユーザはチップ先端部の保護被膜に気付き、ボールペンが不良品であると誤って認識することを防止している。
【０００５】
【発明が解決しようとする課題】
ところで、前記したボールペンにおいては、その組立工程や流通（輸送）段階で起こり得る衝撃等によって、保護被膜がチップから外れないように、チップに対する保護被膜の取り付け（付着）強度を強している。
そのため、ボールペン使用時に手指によってチップから保護被膜を取り除く作業を必要とし、ボールペン使用上の取り扱いを面倒なものにするという技術的課題があった。
【０００６】
また、チップ先端に取り付けられた保護被膜について完全に認知されたわけではないため、筆記後（試書き後）も保護被膜が付着していると、この保護被膜がチップに付着した異物として認識され、商品価値が低下するという技術的課題もあった。
【０００７】
本発明は、このような技術的課題を解決するためになされたもので、チップ先端に設けられたインク溶剤の蒸発を防止する保護被膜が、筆記することで取り外されるボールペンを提供することを目的とする。
【０００８】
【課題を解決するための手段】
前記した目的を達成するためになされた本発明にかかるボールペンは、チップ先端にインク溶剤の蒸発を防止する保護被膜を備えたボールペンにおいて、筆記動作が、筆記角度６０度、筆記速度４．５ｍ／分、ペン体重量を含めた筆記荷重が１００ｇｆであって、その筆記距離が５００ｃｍ以下で、前記保護被膜が前記筆記動作によってチップ先端から離脱し、筆記可能な状態となることを特徴としている。
【０００９】
このように、インク溶剤の蒸発を防止する保護被膜は、筆記動作によってチップ先端から離脱する取り付け強度（付着強度）をもって形成されている。
その結果、前記保護被膜は筆記することによって容易に取り外されるため、ボールペン使用時に手指によってチップから保護被膜を取り除く作業を行う必要がなく、ボールペン使用上の取り扱いを便利なものにすることができる。
また、前記保護被膜は筆記することによって容易に取り外されるため、該保護被膜について認知していないユーザに対して、この保護被膜がチップに付着した異物として認識されることが少なく、誤った認識による商品価値の低下を防止できる。
しかも、ペン体重量を含めた筆記荷重が１００ｇｆは軽い筆圧であり、このような軽い筆圧であっても短時間で筆記可能な状態になすことができ、ユーザにとって使い勝手が良く、ボールペン自体が不良品として認識されることもない。
【００１０】
ここで、前記チップ先端に設けられた前記保護被膜の付着量が、０．００１ｇ以下であることが望ましい。
このように保護被膜の付着量を０．００１ｇ以下とすることで筆記により外れる保護被膜が少なく、紙面等に残る量が極力抑制されるため、使用開始時の違和感がなくなる。
【００１１】
なお、チップ先端にインク溶剤の蒸発を防止する観点から、前記保護被膜がワックス、特にパラフィンワックスによって形成されていることが望ましく、該ワックスに他の成分を含有させても良い。
【００１２】
【発明の実施の形態】
以下、本発明が適用されたボールペンにつき、図に示す実施の形態に基づいて説明する。図１は、本発明の実施形態に係るボールペンの全体を示す断面図である。図２は、同じく本発明の実施形態に係るボールペンの要部を拡大して示す側面図である。
【００１３】
図１に示すように、符号１で示すノック式のボールペンは、ペン本体２およびボールペンリフィール３等を備えている。
前記ペン本体２は、前端軸筒４および後端軸筒５を有している。前記前端軸筒４の後方端部（図１では上方端部）には雄ねじ部４ａが形成されると共に、前方端部には口先部４ｂが形成されている。
また、前記後端軸筒５の前方端部（図１では下方端部）には雌ねじ部５ａが形成され、前記雄ねじ部４ａと螺合し、一体化するように構成されている。また、前記後端軸筒５の内周面には、後述する係止突起と係合する溝部（図示せず）が形成されている。
【００１４】
前記ペン本体２の内部には、ボールペンリフィール３と、前記ボールペンリフィール３を後方（ノック体７側）に常時付勢するスプリング８と、前記ボールペンリフィール３の後端部に接する内筒６とが収容されている。また、前記内筒６の後方端部にはノック体７が連結されて、該ノック体７の一部は前記ペン本体２外に露出され、使用者によって押圧可能に構成されている。
前記内筒６の外周面には係止突起（図示せず）が設けられ、前記溝部（図示せず）と共にカム機構が形成されている。
【００１５】
一方、前記ボールペンリフィール３は、中芯３ａおよびチップ３ｂ（回転ボール付き）を有し、スプリング８によって後方（ノック体７側）に常時付勢されている。前記中芯３ａは、インクを充填してなる管体によって形成されている。このチップ３ｂの先端部には、図２に示すように、チップ開口部を封止する保護被膜９が取り付けられている。
【００１６】
そして、このように構成されたボールペンにあっては、非筆記状態においてペン本体２内（中空部）にボールペンリフィール３を収容し、筆記状態においては使用者がノック体７を押圧することにより、ペン本体２外にボールペンリフィール３の先端部（チップ）を露出させる。
このとき、内筒６の外周面の係止突起（図示せず）が、前記溝部（図示せず）に係止されることにより、ボールペンリフィール３の先端部（チップ）の露出状態が維持される。また、同様に使用者がノック体７を押圧することにより、内筒６の外周面の係止突起（図示せず）と前記溝部（図示せず）との係合が解除され、スプリング８の反発力により、ペン本体２内（中空部）にボールペンリフィール３が収容される。
【００１７】
また、前記保護被膜９はワックス、より好ましくはパラフィンワックス（完全飽和のエチレンホモポリマー）によって形成される。このパラフィンワックス（完全飽和のエチレンホモポリマー）として好適なものとしてペトロライト社製のポリワックス６５５、ポリワックス１０００がある。なお、このワックスに他の成分を含有させ、より好適なものになすことができる。また、このワックスに着色をなすため、他の成分を含有させても良い。
【００１８】
この保護被膜９の質量は、０．００１ｇ以下の質量に設定されている。
このように保護被膜の付着量を０．００１ｇ以下とすることで筆記により外れる保護被膜が少なく、紙面等に残る量が極力抑制されるため、使用開始時の違和感がなくなる。
【００１９】
また、前記保護被膜９の前記チップ３ｂに対する取付力（付着力）は、筆記動作による筆記荷重によって保護被膜９をチップ３ｂから離脱させ、筆記可能な状態とするような付着力に設定されている。
具体的には、筆記動作が、筆記角度６０度、筆記速度４．５ｍ／分、ペン体重量を含めた筆記荷重が１００ｇｆであって、その筆記距離が５００ｃｍ以下で筆記可能な状態となるように、付着力に設定されている。
【００２０】
その結果、軽い筆圧の筆記であっても、短時間のうちに筆記可能な状態になすことができ、ユーザにとって使い勝手が良く、ボールペン自体が不良品として認識されることもない。また、筆記動作で、チップから保護被膜を離脱させることができるため、ボールペン使用時に手指によってチップから保護被膜を取除く作業が不要となり、ボールペン使用上の取り扱いを便利なものとすることができる。
なお、ユーザによって筆圧が異なるため、上記したペン体重量を含めた筆記荷重が１００ｇｆより大きい場合には、より短い筆記距離で筆記が可能となる。
【００２１】
以上のように構成されたボールペンをユーザがノック操作によってチップ３ｂ（一部）をペン本体２外に露出させて筆記を試みると、この筆記動作によって筆記荷重を保護被膜９が受ける。この筆記荷重によって保護被膜９はチップ３ｂから離脱し、ボールペンは筆記可能な状態となる。
【００２２】
次に、下記実験を行い、本発明の効果について検証を行った。
＜実験１＞
〔実験方法〕
実施例１〜４および比較例１に示す保護被膜（各実施例の質量は０．００１ｇ，比較例１の質量は０．００２ｇ）付きのボールペン（チップのボール径０．３８ｍｍ，０．７ｍｍ）を用い、温度２５℃，湿度６０％の環境下において、筆記角度を６０°とするとともに、筆記速度を４．５ｍ／分とし、かつ筆記荷重を１００ｇｆとして機械筆記（機械動作による筆記）を行い、筆記荷重を加えてから筆記が開始されるまでの距離を測定した。
【００２３】
ここで、実施例１では、三菱鉛筆株式会社製、ボールペン：ボール径０．３８ｍｍ、保護被膜：ペトロライト社製ポリワックス６５５を用いた。
また、実施例２では、三菱鉛筆株式会社製、ボールペン：ボール径０．３８ｍｍ、保護被膜：ペトロライト社製ポリワックス１０００を用いた。
更に、実施例３では、三菱鉛筆株式会社製、ボールペン：ボール径０．７ｍｍ、保護被膜：ペトロライト社製ポリワックス６５５を用いた。
また、実施例４では、三菱鉛筆株式会社製、ボールペン：ボール径０．７ｍｍ、保護被膜：ペトロライト社製ポリワックス１０００を用いた。
また、比較例１として、三菱鉛筆株式会社製、ボールペン：ボール径０．７ｍｍ、保護被膜：エチレン酢ビ共重合樹脂を用いた。
上記実施例１乃至４、及び比較例１の測定の結果を表１に示す。なお、表中の○ははっきり、●はややカスレあり、△はカスレあり、×は筆記されないことを意味している。
【００２４】
【表１】
2004066562.tif 000003
【００２５】
表１から明らかなように、実施例１〜４は筆記距離５００ｃｍ以下で筆記が開始され、これに対し比較例１は筆記距離５０００ｃｍであっても筆記が開始されないことが判り、本発明の効果が実証された。
【００２６】
＜実験２＞
〔実験方法〕
前記した実施例１〜４および比較例１に示す保護被膜付きのボールペン（チップのボール径０．３８ｍｍ，０．７ｍｍ）を用い、温度２５℃，湿度６０％の環境下において「筆記試験」という文字を手筆記（手動作による筆記）を行い、筆記荷重を加えて筆記が開始されるまでの文字数を測定した。その結果を表２に示す。なお、表２中の○ははっきり、●はややカスレあり、▲は一部筆記されていない部分あり、×は筆記されないことを意味している。
【００２７】
【表２】
2004066562.tif 000004
【００２８】
この表２から明らかなように、実施例１〜４にあっては、手筆記で文字数２文字以下で筆記が開始され、これに対し比較例１は文字数５文字であっても筆記が開始されないことが判り、本発明の効果が実証された。
【００２９】
このように、保護被膜は筆記することによって容易に取り外されるため、ボールペン使用時に手指によってチップから保護被膜を取り除く作業を行う必要がなく、ボールペン使用上の取り扱いを便利なものにすることができる。
また、前記保護被膜は筆記することによって容易に取り外されるため、該保護被膜について認知していないユーザに対して、この保護被膜がチップに付着した異物として認識されることが少なく、誤った認識による商品価値の低下を防止できる。
【００３０】
＜実験３＞
〔実験方法〕
また、実施例３、比較例１を、温度２５℃，湿度６０％の環境下で揮発減量を測定したところ、保護被膜を付着した場合は０．１２ｍｇ／日、比較例は０．１３ｍｇ／日であった。また、保護被膜を付着しない場合は０．４１ｍｇ／日であった。
この結果から、本発明においても従来の保護被膜と同様なインク溶剤の蒸発防止効果を有することが認められた。
【００３１】
本実施形態においては、ノック機構を備えたノック式ボールペンに適用する場合について説明したが、本発明はこれに限定されず、他の形式のノック式ボールペンにも適用可能であり、さらにノック式ボールペン以外のボールペンに適用しても何等差し支えない。
また、本実施形態においては保護被膜がワックス、具体的にはパラフィンワックス（完全飽和のエチレンホモポリマー）である場合について説明したが、本発明は特にこれに限定されるものではなく、他の材質であっても良く、あるいはワックスに他の材料を混合しても良い。
【００３２】
なお、上記実施例で用いた「ポリワックス６５５」「ポリワックス１０００」の数値部分は、浸透圧法により測定した分子量を示している。この場合の分子量は１５０〜３０００が望ましい。分子量が１５０より小さいと付着力が大きすぎる。一方、分子量が３０００より大きいと、逆に付着し難くなる。より望ましくは、分子量が６００〜２０００の範囲である。
【００３３】
【発明の効果】
以上の説明で明らかなとおり、本発明に係るボールペンによると、チップ先端に設けられたインク溶剤の蒸発を防止する保護被膜が、筆記することで取り外されるボールペンを得ることができる。
【図面の簡単な説明】
【図１】本発明の実施形態に係るボールペンの全体を示す断面図である。
【図２】本発明の実施形態に係るボールペンの要部を拡大して示す側面図である。
【符号の説明】
１　　　　　　　　ボールペン
２　　　　　　　　ペン本体
３　　　　　　　　ボールペンリフィール
３ａ　　　　　　　中芯
３ｂ　　　　　　　チップ
４　　　　　　　　前端軸筒
５　　　　　　　　後端軸筒
６　　　　　　　　内筒
７　　　　　　　　ノック体
８　　　　　　　　スプリング
９　　　　　　　　保護被膜
【図１】
2004066562.tif 000005
【図２】
2004066562.tif 000006